(57)【要約】【課題】ユーザの現在位置を特定すること。【解決手段】現在位置特定装置１００は、現在位置を検出する現在位置検出手段と、ユーザからの操作に基づいて電源のオン、オフを切り替える電源切替手段と、電源切替手段によって電源がオンに切り替えられたときに、現在位置特定装置の動作状態を、通常動作状態よりも各部に流す電流を抑えたスリープ状態に切り替える動作状態切替手段とを備える。【選択図】図１
2014157600.tif 000002
【特許請求の範囲】
【請求項１】
ユーザの現在位置を特定するための現在位置特定装置であって、
現在位置を検出する現在位置検出手段と、
ユーザからの操作に基づいて電源のオン、オフを切り替える電源切替手段と、
前記電源切替手段によって電源がオンに切り替えられたときに、現在位置特定装置の動作状態を、通常動作状態よりも各部に流す電流を抑えたスリープ状態に切り替える動作状態切替手段とを備えることを特徴とする現在位置特定装置。
【請求項２】
請求項１に記載の現在位置特定装置において、
前記電源切替手段によって電源がオンに切り替えられたときに、現在位置特定装置を動作させるための起動時処理を実行する起動時処理実行手段をさらに備え、
前記動作状態切替手段は、前記起動時処理実行手段による前記起動時処理が完了した後に、前記動作状態を前記スリープ状態に切り替えることを特徴とする現在位置特定装置。
【請求項３】
請求項１または２に記載の現在位置特定装置において、
振動を検出する振動検出手段をさらに備え、
前記動作状態切替手段は、現在位置特定装置の動作状態が前記スリープ状態であるときに、前記振動検出手段によって振動が検出された場合には、前記動作状態を前記通常動作状態に切り替えることを特徴とする現在位置特定装置。
【請求項４】
請求項３に記載の現在位置特定装置において、
前記動作状態切替手段は、前記動作状態を前記通常動作状態に切り替えた後に、前記振動検出手段による振動の検出が所定時間未満で停止した場合には、前記動作状態を前記スリープ状態に戻すことを特徴とする現在位置特定装置。
【請求項５】
請求項３または４に記載の現在位置特定装置において、
前記動作状態切替手段は、前記動作状態を前記通常動作状態に切り替えた後に、前記振動検出手段による振動の検出が所定時間以上継続した場合には、前記振動検出手段による検出を停止させるとともに、前記動作状態を前記スリープ状態に戻すことを特徴とする現在位置特定装置。
【請求項６】
請求項５に記載の現在位置特定装置において、
前記動作状態切替手段は、現在位置特定装置の動作状態が前記スリープ状態であるときに、あらかじめ設定された所定時間間隔で前記動作状態を前記通常動作状態に切り替え、前記現在位置検出手段による現在位置の検出が完了した後に、前記動作状態をスリープ状態に戻すことを特徴とする現在位置特定装置。
【請求項７】
請求項６に記載の現在位置特定装置において、
前記動作状態切替手段は、前記動作状態を前記通常動作状態に切り替えた後に、前記現在位置検出手段による現在位置の検出が所定時間以上完了しない場合には、前記現在位置検出手段による現在位置の検出を終了させて、前記動作状態をスリープ状態に戻すことを特徴とする現在位置特定装置。
【請求項８】
請求項５〜７のいずれか一項に記載の現在位置特定装置において、
前記動作状態切替手段は、前記現在位置検出手段によって検出された現在位置があらかじめ設定された前記ユーザの自宅位置から所定の範囲内である場合には、前記振動検出手段による検出を開始させることを特徴とする現在位置特定装置。
【請求項９】
請求項５〜７のいずれか一項に記載の現在位置特定装置において、
加速度を検出する加速度検出センサをさらに備え、
前記動作状態切替手段は、前記現在位置検出手段によって検出された現在位置があらかじめ設定された地点から所定の範囲内であり、かつ前記加速度検出手段によって検出される加速度が所定値以下である状態が所定時間以上継続した場合には、前記振動検出手段による検出を開始させることを特徴とする現在位置特定装置。
【請求項１０】
請求項１〜９のいずれか一項に記載の現在位置特定装置において、
あらかじめ設定された通報条件を満たしたときに、通信回線を介して通報先端末へ前記現在位置検出手段によって検出された現在位置を特定するための情報を送信して通報を行う通報手段をさらに備えることを特徴とする現在位置特定装置。
【請求項１１】
請求項１０に記載の現在位置特定装置において、
前記通報手段は、前記通報先端末から現在位置の問い合わせを受信したときに、前記通報条件を満たしたと判断することを特徴とする現在位置特定装置。
【請求項１２】
請求項１０または１１に記載の現在位置特定装置において、
前記現在位置検出手段によって検出された現在位置と、あらかじめ設定された自宅位置とに基づいて、現在位置特定装置を所持するユーザが外出したことを検出する外出検出手段をさらに備え、
前記通報手段は、前記外出検出手段によって前記ユーザの外出が検出されたときに、前記通報条件を満たしたと判断することを特徴とする現在位置特定装置。
【請求項１３】
請求項１２に記載の現在位置特定装置において、
前記外出検出手段によって前記ユーザの外出が検出された後に、前記現在位置検出手段によって検出された現在位置と、あらかじめ設定された自宅位置とに基づいて、現在位置特定装置を所持するユーザが帰宅したことを検出する帰宅検出手段をさらに備え、
前記通報手段は、前記帰宅検出手段によって前記ユーザの帰宅が検出されたときに、前記通報条件を満たしたと判断することを特徴とする現在位置特定装置。
【請求項１４】
請求項１３に記載の現在位置特定装置において、
前記通報手段は、前記外出検出手段によって前記ユーザの外出が検出された後に、所定時間以上経過しても前記帰宅検出手段によって前記ユーザの帰宅が検出されないときに、前記通報条件を満たしたと判断することを特徴とする現在位置特定装置。
【請求項１５】
請求項１２〜１４のいずれか一項に記載の現在位置特定装置において、
前記通報手段は、あらかじめ設定された外出時刻を過ぎても前記外出検出手段によって前記ユーザの外出が検出されないときに、前記通報条件を満たしたと判断することを特徴とする現在位置特定装置。
【請求項１６】
請求項１２〜１５のいずれか一項に記載の現在位置特定装置において、
前記通報手段は、所定時間以上前記外出検出手段によって前記ユーザの外出が検出されないときに、前記通報条件を満たしたと判断することを特徴とする現在位置特定装置。
【請求項１７】
請求項１０〜１６のいずれか一項に記載の現在位置特定装置において、
前記通報手段は、前記現在位置検出手段によって検出された現在位置が、あらかじめ設定された自宅位置から所定距離以上離れた位置であるときに、前記通報条件を満たしたと判断することを特徴とする現在位置特定装置。
【請求項１８】
請求項１０〜１７のいずれか一項に記載の現在位置特定装置において、
前記通報手段は、前記現在位置検出手段によって検出された現在位置が、あらかじめ設定された危険エリア内に位置しているときに、前記通報条件を満たしたと判断することを特徴とする現在位置特定装置。
【請求項１９】
請求項１０〜１８のいずれか一項に記載の現在位置特定装置において、
前記通報手段は、現在位置特定装置に電源を供給するためのバッテリ残量が所定値以下まで低下したときに、前記通報条件を満たしたと判断することを特徴とする現在位置特定装置。
【請求項２０】
請求項１０〜１９のいずれか一項に記載の現在位置特定装置において、
前記通報手段は、現在位置特定装置に電源を供給するためのバッテリへの充電が開始されたときに、前記通報条件を満たしたと判断することを特徴とする現在位置特定装置。
【請求項２１】
請求項１〜２０のいずれかに記載の現在位置特定装置を搭載した靴。
【請求項２２】
請求項２１に記載の現在位置特定装置を搭載した靴において、
前記現在位置特定装置は、中敷きに設けられた収納スペースに収納することにより搭載されることを特徴とする現在位置特定装置を搭載した靴。
【請求項２３】
請求項２１に記載の現在位置特定装置を搭載した靴において、
前記現在位置特定装置は、中敷きの下に設けられた収納スペースに収納することにより搭載されることを特徴とする現在位置特定装置を搭載した靴。
【請求項２４】
請求項２１に記載の現在位置特定装置を搭載した靴において、
前記現在位置特定装置は、靴の上面、側面、踵部分、つま先部分のいずれかに設けられた収納スペースに収納することにより搭載されることを特徴とする現在位置特定装置を搭載した靴。
【発明の詳細な説明】
【技術分野】
【０００１】
本発明は、現在位置特定装置、および現在位置特定装置を搭載した靴に関する。
【背景技術】
【０００２】
次のような徘徊者位置管理システムが知られている。この徘徊者位置管理システムで用いられる被検知端末では、加速度センサ部の信号から徘徊者が停止状態か否かを判定し、所定時間以上歩行していない場合に停止状態と判定している。そして、停止状態と判定した場合には、測位衛星無線受信部の電源をＯＦＦにし、演算処理部の測位処理を停止状態にする省電力モードへ移行するように制御することで、電力の消費を抑えている（例えば、特許文献１）。
【先行技術文献】
【特許文献】
【０００３】
【特許文献１】特開２０１２−１６５３００号公報
【発明の概要】
【発明が解決しようとする課題】
【０００４】
しかしながら、従来の徘徊者位置管理システムにおける被検知端末のように、徘徊者の位置を特定するために用いられる端末や装置の場合、徘徊者位置を把握したいと考えるユーザは、あらかじめ電源をオンした状態の端末や装置を徘徊者に所持させたり、所持品に取り付けたりする必要がある。この場合、電源をオンした後に長時間未使用の状態が続く可能性が高く、使用時までにバッテリが消費され、残容量が少なくなってしまう可能性があった。位置特定の対象者がバッテリ残量を気にすることが困難な人物である場合には、バッテリが切れても気づかないおそれがあり、徘徊者の位置を特定できないという、システムとして致命的な問題につながる可能性があった。これに対し、従来の徘徊者位置管理システムでは、徘徊者が停止状態にあるときに省電力モードへ移行するように制御しているが、被検知端末の電源オン時にどのような制御がされているかについては開示がなく、電源がオンされた段階からバッテリの消費を抑えることにより長時間の動作を可能とする技術については、何ら検討がされていなかった。
【課題を解決するための手段】
【０００５】
本発明による現在位置特定装置は、現在位置を検出する現在位置検出手段と、ユーザからの操作に基づいて電源のオン、オフを切り替える電源切替手段と、電源切替手段によって電源がオンに切り替えられたときに、現在位置特定装置の動作状態を、通常動作状態よりも各部に流す電流を抑えたスリープ状態に切り替える動作状態切替手段とを備えることを特徴とする。
本発明による現在位置特定装置を搭載した靴は、上記の現在位置特定装置を搭載することを特徴とする。
【発明の効果】
【０００６】
本発明によれば、現在位置特定装置の電源がオンされたときに、すぐにスリープ状態に移行させることができるため、電源がオンされた段階からバッテリの消費を抑えて長時間の動作を可能にすることができる。
【図面の簡単な説明】
【０００７】
【図１】現在位置特定装置１００の一実施の形態の構成を示すブロック図である。
【図２】現在位置特定装置１００で実行される現在位置特定処理の流れを示すフローチャート図である。
【図３】現在位置特定装置１００で実行される現在位置通報処理の流れを示すフローチャート図である。
【発明を実施するための形態】
【０００８】
図１は、本実施の形態における現在位置特定装置の一実施の形態の構成を示すブロック図である。現在位置特定装置１００は、ＧＰＳ（Ｇｌｏｂａｌ  Ｐｏｓｉｔｉｏｎｉｎｇ  Ｓｙｓｔｅｍ）アンテナ１０１と、ＬＮＡ（Ｌｏｗ  Ｎｏｉｓｅ  Ａｍｐｌｉｆｉｅｒ）１０２と、通信アンテナ１０３と、電源スイッチ１０４と、振動スイッチ１０５と、スイッチ制御回路１０６と、ＬＥＤ表示回路１０７と、ＲＴＣ（Ｒｅａｌ−Ｔｉｍｅ  Ｃｌｏｃｋ）回路１０８と、充電用コネクタ１０９と、通信カード用コネクタ１１０と、ヒューズ１１１と、バッテリ１１２と、通信モジュール１１３とを備えている。
【０００９】
ＧＰＳアンテナ１０１は、ＧＰＳ衛星と通信を行ってＧＰＳ信号を受信するためのアンテナである。ＬＮＡ１０２は、ＧＰＳアンテナ１０１が受信したＧＰＳ信号を増幅するための低雑音アンプである。通信アンテナ１０３は、既設の通信網に接続して無線通信を行うためのアンテナである。本実施の形態では、この通信アンテナ１０３により、携帯電話会社が提供する携帯電話通信網に接続して、外部の装置や端末（以下、「外部機器」と呼ぶ）と通信を行うようにする。
【００１０】
電源スイッチ１０４は、現在位置特定装置１００の電源オン・オフを切り替えるためにユーザが操作するためのスイッチである。本実施の形態における現在位置特定装置１００では、例えば、電源オフ時にユーザが電源スイッチ１０４を長押しすると電源がオンされ、電源オン時にユーザが電源スイッチ１０４を長押しすると電源がオフされる。
【００１１】
振動スイッチ１０５は、現在位置特定装置１００の振動を検出するためのスイッチであり、振動センサ及びその周辺回路により構成される。スイッチ制御回路１０６は、後述する通信モジュール１１４からの指示に基づいて、振動スイッチ１０５による振動検出のオン、オフを切り替える制御を行うための回路である。
【００１２】
ＬＥＤ表示回路１０７は、現在位置特定装置１００の動作状態をＬＥＤを消灯、点灯、点滅させることにより表示するための回路である。ＲＴＣ回路１０８は、現在位置特定装置１００の内部時刻を計時するための回路であり、現在位置特定装置１００の電源がオフの状態でも現在時刻を刻み続ける機能を有する回路である。
【００１３】
充電用コネクタ１０９は、後述するバッテリ１１２を充電するための電力を供給するためのコネクタである。例えば、充電用コネクタ１０９としてマイクロＵＳＢコネクタを搭載し、該マイクロＵＳＢコネクタを介してＡＣアダプタを接続することによって、バッテリ１１２を充電してもよい。あるいは、充電用コネクタ１０９に非接触充電用のコイルを搭載して、現在位置特定装置１００をマット状の充電装置の上に乗せることにより、バッテリ１１２を充電できるようにしてもよい。
【００１４】
通信カード用コネクタ１１０は、上述した通信アンテナ１０３を介して携帯電話通信網に接続するためのＳＩＭカード（Ｓｕｂｓｃｒｉｂｅｒ  Ｉｄｅｎｔｉｔｙ  Ｍｏｄｕｌｅ  Ｃａｒｄ）を挿入するためのコネクタである。ユーザは、あらかじめ携帯電話通信網を提供する通信会社と契約を行って入手したＳＩＭカードを通信カード用コネクタ１１０に挿入することにより、通信アンテナ１０３を介して通信を行うことが可能となる。
【００１５】
ヒューズ１１１は、バッテリ１１２のショート保護用のヒューズであって、バッテリ１１２のプラスラインに挿入されている。バッテリ１１２は、現在位置特定装置１００を構成する各部に電力を供給するための電池である。バッテリ１１２としては、例えばリチウムポリマー電池が用いられ、現在位置特定装置１００を長時間駆動可能な電池容量が確保されている。ここでは、例えば、２５０ｍＡｈタイプのリチウムポリマー電池を用いることとする。また、バッテリ１１２には、過充電防止回路とショート保護回路が内蔵されている。
【００１６】
通信モジュール１１３は、ＧＰＳアンテナ１０１を介したＧＰＳ衛星との通信、及び通信アンテナ１０３を介した外部機器との通信を制御するためのモジュールであって、併せて現在位置特定装置１００の全体を制御する。このために、通信モジュール１１３は、ＣＰＵ、メモリ、およびその他の周辺回路によって構成される。なお、通信モジュール１１３を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、現在位置特定装置１００を動作させるためのファームウェアや種々のアプリケーションを動作させるためのソフトウェアのプログラムデータが記録される。
【００１７】
本実施の形態における現在位置特定装置１００は、ＧＰＳアンテナ１０１を介して受信するＧＰＳ信号に基づいて現在位置を計測し、計測結果を通信アンテナ１０３を介して接続されている携帯電話通信網を介して、あらかじめ通報先として設定されている外部機器（以下、「通報先端末」と呼ぶ）へ送信する。これによって、通報先端末の操作者は、現在位置特定装置１００を所持したユーザの現在位置を特定することができる。
【００１８】
本実施の形態における現在位置特定装置１００は、外出時に所在確認を可能にすることが望まれるユーザの靴に収納され、靴を履いて外出したユーザの現在位置を特定するために用いられる。このため、現在位置特定装置１００は、靴に収納可能なサイズに小型化されている。例えば、靴の中敷きの内部や中敷きの下に現在位置特定装置１００を収納するためのスペースを設け、ここに現在位置特定装置１００を収納すれば、ユーザは、靴に現在位置特定装置１００を収納した靴を履いて外出することになる。なお、現在位置特定装置１００を収納するスペースは、中敷きの下に限定されず、靴の上面、側面、踵部分、つま先部分等であってもよい。
【００１９】
外出時に所在確認を可能にすることが望まれるユーザとしては、例えば痴呆症の人、徘徊の危険性がある人、知的障害者、老人、子供、幼児等が想定される。現在位置特定装置１００をユーザの靴に収納して搭載するようにすれば、ユーザは外出時に必ず現在位置特定装置１００を身に着けることになるというメリットがある。すなわち、現在位置特定装置１００をネックレス状にして首にかけて持ち出したり、ポケットやバッグに入れて持ち出すようにした場合には、ユーザが現在位置特定装置１００を忘れて外出してしまう可能性がある。しかしながら、靴は外出時に必ず履くものであるため、現在位置特定装置１００を靴に搭載しておけば、ユーザは、外出時には常に現在位置特定装置１００を身に着けて行動することになる。
【００２０】
以下、図２に示すフローチャートを用いて、本実施の形態における現在位置特定装置１００で実行される現在位置特定処理の流れを説明する。なお、図２に示す現在位置特定処理は、ユーザによって電源スイッチ１０４が長押しされて現在位置特定装置１００の電源がオンされると起動するプログラムとして、通信モジュール１１３によって実行される。
【００２１】
ステップＳ１０において、通信モジュール１１３は、ＬＥＤ表示回路１０７を制御してＬＥＤをあらかじめ設定された所定時間点灯させて、ユーザに現在位置特定装置１００の電源がオンされたことを通知する。その後、ステップＳ２０へ進む。
【００２２】
ステップＳ２０では、通信モジュール１１３は、現在位置特定装置１００の電源オンに伴い、起動時の処理として、現在位置特定装置１００を構成する各部の初期設定を行う。例えば、ＧＰＳアンテナ１０１を介したＧＰＳ衛星からのＧＰＳ信号の受信を可能にするための処理や、通信アンテナ１０３を介した携帯電話通信網を介した通信を開始するための処理を実行する。その後、ステップＳ３０へ進む。
【００２３】
ステップＳ３０では、通信モジュール１１３は、スイッチ制御回路１０６を制御して、振動スイッチ１０５による振動検出をオンすることにより、現在位置特定装置１００の振動の検出を開始する。これにより、ユーザが現在位置特定装置１００が収納された靴を履いて外出をする際に生じる現在位置特定装置１００の振動を検出することが可能となる。その後、ステップＳ４０へ進む。
【００２４】
ステップＳ４０では、通信モジュール１１３は、現在位置特定装置１００の動作状態を、通常動作時における通常動作状態よりも各部に流す電流を抑えたスリープ状態に切り替える。通信モジュール１１３は、例えば、現在位置特定装置１００をスリープ状態に切り替えたときには、バッテリ１１２から各部に流す電流を１ｍＡ程度に抑えるように制御する。これにより、現在位置特定装置１００は、電源がオンされて各部の初期設定が完了した後は、スリープ状態に切り替えて電力消費を抑えることができる。その後、ステップＳ５０へ進む。
【００２５】
ステップＳ５０では、通信モジュール１１３は、振動スイッチ１０５からの出力に基づいて、現在位置特定装置１００の振動を検出したか否かを判断する。ステップＳ５０で肯定判断した場合には、ステップＳ６０へ進む。
【００２６】
ステップＳ６０では、通信モジュール１１３は、スタンバイモードを開始させる。スタンバイモードでは、通信モジュール１１３は、現在位置特定装置１００の動作状態をスリープ状態から通常動作状態に切り替えてバッテリ１１２から各部に流す電流の制限を解除するとともに、ステップＳ５０で検出した振動の継続時間の計時を行う。その後、ステップＳ７０へ進む。
【００２７】
ステップＳ７０では、通信モジュール１１３は、振動の検出が所定時間継続しているか否かを判断する。なお、ステップＳ７０での判断は、ＲＴＣ回路１０８で一定時間ごとに割り込み信号を発生させ、その発生回数が上記所定時間に相当する回数に到達したときに肯定判断するようにすればよい。例えば、振動の検出が５分間継続したときに肯定判断するように設定されており、ＲＴＣ回路１０８が１分間ごとに割り込み信号を発生させる場合には、通信モジュール１１３は、割り込み信号の発生回数が５回になったときに、ステップＳ７０で肯定判断すればよい。
【００２８】
ステップＳ７０で否定判断した場合には、ステップＳ４０へ戻って、通信モジュール１１３は、スタンバイモードを終了させて、再び現在位置特定装置１００の動作状態をスリープ状態に切り替える。これは、振動の検出が所定時間継続しなかった場合は、現在位置特定装置１００の振動は一時的なもので、ユーザの外出に伴って発生したものではないため、引き続き振動の検出を継続しながら消費電力を抑えるためである。
【００２９】
これに対して、ステップＳ７０で肯定判断した場合には、ステップＳ８０へ進む。ステップＳ８０では、振動の検出が所定時間継続していることから、ユーザが現在位置特定装置１００を収納した靴を履いて外出したと判断できるため、通信モジュール１１３は、外出中のユーザの現在位置を監視するために、スタンバイモードから監視モードに切り替える。監視モードでは、通信モジュール１１３は、ステップＳ５０で検出した振動の継続時間の計時を終了させる。その後、ステップＳ９０へ進む。
【００３０】
ステップＳ９０では、通信モジュール１１３は、監視モードへの移行に伴い、スイッチ制御回路１０６を制御して、振動スイッチ１０５による振動検出をオフすることにより、現在位置特定装置１００の振動の検出を停止する。現在位置特定装置１００を収納した靴を履いて外出した後は、振動の検出は不要となるため、振動スイッチ１０５による振動検出をオフしても問題がないためである。また、振動スイッチ１０５による振動検出をオフすることにより、監視モードに切り替えた後の電力消費を抑えることもできる。
【００３１】
その後、ステップＳ１００へ進み、通信モジュール１１３は、現在位置特定装置１００の動作状態を通常動作状態からスリープ状態に切り替える。これは、ユーザが外出した後の現在位置の計測はあらかじめ設定された所定時間間隔、例えば１分間隔で行えばよいため、現在位置の計測を行わない時間帯は、バッテリ１１２の消費を低減することを目的としている。その後、ステップＳ１１０へ進む。
【００３２】
ステップＳ１１０では、通信モジュール１１３は、ステップＳ８０で監視モードに切り替えてから、または前回現在位置を計測してからあらかじめ設定された所定時間、例えば１分間が経過したか否かを判断する。なお、通信モジュール１１３は、ステップＳ１１０での判断も上述したステップＳ７０での判断と同様に、ＲＴＣ回路１０８が発生させる割り込み信号の回数に基づいて行えばよい。ステップＳ１１０で肯定判断した場合には、ステップＳ１２０へ進む。
【００３３】
ステップＳ１２０では、通信モジュール１１３は、現在位置特定装置１００の動作状態を上述した通常動作状態に切り替えて、現在位置特定装置１００の現在位置の検出を可能にする。その後、ステップＳ１３０へ進む。
【００３４】
ステップＳ１３０では、通信モジュール１１３は、ＧＰＳアンテナ１０１を介して受信され、ＬＮＡ１０２で増幅されたＧＰＳ信号に基づいて、現在位置特定装置１００の現在位置を検出する。その後、ステップＳ１４０へ進む。
【００３５】
ステップＳ１４０では、通信モジュール１１３は、ステップＳ１３０で検出した現在位置特定装置１００の現在位置を特定するための情報、例えば、現在位置特定装置１００の現在位置を示す緯度経度情報と、その検出時刻を示す情報とを関連付けた現在位置情報を上述した不揮発性のメモリに記録する。その後、ステップＳ１５０へ進む。
【００３６】
ステップＳ１５０では、通信モジュール１１３は、現在位置特定装置１００の動作状態を上述したスリープ状態に切り替えて、現在位置特定装置１００の消費電力を抑える。その後、ステップＳ１６０へ進む。
【００３７】
ステップＳ１６０では、通信モジュール１１３は、ユーザの帰宅を検出したか否かを判断する。本実施の形態では、通信モジュール１１３は、ステップＳ１３０で検出した現在位置特定装置１００の現在位置があらかじめ登録された自宅位置から所定の範囲内、例えば１００ｍ以内である場合に、ユーザの帰宅を検出する。なお、ユーザの自宅位置は、ユーザまたは通報先端末の操作者によって、あらかじめメモリに登録されているものとする。ステップＳ１６０で肯定判断した場合には、ステップＳ１７０へ進む。
【００３８】
ステップＳ１７０では、通信モジュール１１３は、ステップＳ８０で開始した監視モードを終了して、ステップＳ１８０へ進む。
【００３９】
ステップＳ１８０では、通信モジュール１１３は、スイッチ制御回路１０６を制御して、振動スイッチ１０５による振動検出をオンすることにより、現在位置特定装置１００の振動の検出を開始する。これにより、ユーザが帰宅した後に、再び現在位置特定装置１００が収納された靴を履いて外出をする際に生じる振動を検出することが可能となる。その後、ステップＳ４０へ戻る。
【００４０】
これに対して、ステップＳ１６０で否定判断した場合には、ステップＳ１９０へ進む。ステップＳ１９０では、通信モジュール１１３は、ユーザによって電源スイッチ１０４が長押しされて、現在位置特定装置１００の電源オフが指示されたか否かを判断する。ステップＳ１９０で否定判断した場合には、ステップＳ１１０へ戻る。これに対して、ステップＳ１９０で肯定判断した場合には、ステップＳ２００へ進む。
【００４１】
ステップＳ２００では、通信モジュール１１３は、現在位置特定装置１００の電源をオフする。その後、処理を終了する。
【００４２】
次に、図３に示すフローチャートを用いて、本実施の形態における現在位置特定装置１００で実行される現在位置通報処理の流れを説明する。なお、図３に示す現在位置特定処理は、ユーザによって電源スイッチ１０４が長押しされて現在位置特定装置１００の電源がオンされると起動するプログラムとして、通信モジュール１１３によって実行される。
【００４３】
ステップＳ２１０において、通信モジュール１１３は、ユーザが現在位置特定装置１００を収納した靴を履いて外出したか否かを判断する。ここでは、ユーザまたは通報先端末の操作者によって、あらかじめユーザの自宅位置がメモリに登録されており、通信モジュール１１３は、図２で上述した処理によって検出した現在位置特定装置１００の現在位置が、あらかじめ登録されているユーザの自宅から所定距離以上、例えば１００ｍ以上離れたときに、ユーザは外出したと判断する。ステップＳ２１０で肯定判断した場合には、ステップＳ２９０へ進む。
【００４４】
なお、この自宅位置の登録は、ユーザまたは通報先端末の操作者が現在位置特定装置１００の不図示の入力部材を操作して登録してもよいし、現在位置特定装置１００をパソコン等の外部機器に接続し、外部機器上から登録できるようにしてもよい。あるいは、通報先端末の操作者が通報先端末からリモート操作により登録できるようにしてもよい。これは本実施の形態の処理において、あらかじめ設定または登録を要する情報についても同様である。
【００４５】
ステップＳ２９０では、通信モジュール１１３は、通報先端末への通報を行うために、現在位置特定装置１００の動作状態をスリープ状態から通常動作状態に切り替える。その後、ステップＳ３００へ進む。
【００４６】
ステップＳ３００では、通信モジュール１１３は、通信アンテナ１０３を介して携帯電話通信網に接続し、図２の処理でメモリに記録された最新の現在位置情報と、ユーザが外出したことを示す情報とを通報先端末へ送信して通報する。これによって、通報先端末の操作者は、ユーザの現在位置とともに、ユーザが外出したことを把握することができ、ユーザの帰宅が報告されるまでの間、ユーザの行動に注意を払うことができる。なお、この通報は、メールやショートメッセージ等を用いて行えばよく、これは以下の処理についても同様である。
【００４７】
その後、ステップＳ３１０へ進み、通信モジュール１１３は、現在位置特定装置１００の動作状態を通常動作状態からスリープ状態に切り替えて、後述するステップＳ３２０へ進む。
【００４８】
ステップＳ２１０で否定判断した場合には、ステップＳ２２０へ進む。ステップＳ２２０では、通信モジュール１１３は、現在位置特定装置１００を収納した靴を履いて外出したユーザがあらかじめ設定された危険エリアに侵入したか否かを判断する。ここでは、ユーザまたは通報先端末の操作者によって、地図上で指定された危険エリアを示す情報がメモリに登録されており、通信モジュール１１３は、図２で上述した処理によって検出した現在位置特定装置１００の現在位置が、あらかじめ登録されている危険エリア内に位置しているときに、ユーザは危険エリアに侵入したと判断する。なお、危険エリアとしては、例えば、交通量が多い幹線道路、高速道路、河川などの一般的にユーザが立ち入ってしまうと危険が伴うエリアが想定される。ステップＳ２２０で肯定判断した場合には、ステップＳ２９０へ進む。
【００４９】
ステップＳ２９０では、通信モジュール１１３は、通報先端末への通報を行うために、現在位置特定装置１００の動作状態をスリープ状態から通常動作状態に切り替える。その後、ステップＳ３００へ進む。
【００５０】
ステップＳ３００では、通信モジュール１１３は、通信アンテナ１０３を介して携帯電話通信網に接続し、図２の処理でメモリに記録された最新の現在位置情報と、ユーザが危険エリアに侵入したことを示す情報を通報先端末へ送信して通報する。これによって、通報先端末の操作者は、ユーザの現在位置とともに、ユーザが危険エリアに侵入したことを把握することができる。このため、ユーザに危険が及ぶことを回避するために、通報されたユーザの現在位置までユーザを保護しに行ったり、現地近くの警察や知り合いにユーザの保護を依頼したりすることができる。
【００５１】
その後、ステップＳ３１０へ進み、通信モジュール１１３は、現在位置特定装置１００の動作状態を通常動作状態からスリープ状態に切り替えて、後述するステップＳ３２０へ進む。
【００５２】
ステップＳ２２０で否定判断した場合には、ステップＳ２３０へ進む。ステップＳ２３０では、通信モジュール１１３は、現在位置特定装置１００を収納した靴を履いて外出したユーザがあらかじめ登録された自宅から所定距離以上、例えば２ｋｍ以上離れた地点に到達したか否かを判断する。ここでは、ユーザの自宅位置は上述したようにあらかじめ登録されており、通信モジュール１１３は、図２で上述した処理によって検出した現在位置特定装置１００の現在位置が、あらかじめ登録されている自宅位置から所定距離以上離れた位置であるときに、ユーザは自宅から所定距離以上離れた地点に到達したと判断する。ステップＳ２３０で肯定判断した場合には、ステップＳ２９０へ進む。
【００５３】
ステップＳ２９０では、通信モジュール１１３は、通報先端末への通報を行うために、現在位置特定装置１００の動作状態をスリープ状態から通常動作状態に切り替える。その後、ステップＳ３００へ進む。
【００５４】
ステップＳ３００では、通信モジュール１１３は、通信アンテナ１０３を介して携帯電話通信網に接続し、図２の処理でメモリに記録された最新の現在位置情報と、ユーザが自宅から所定距離以上離れたことを示す情報を通報先端末へ送信して通報する。これによって、通報先端末の操作者は、ユーザの現在位置とともに、ユーザが自宅から遠く離れた地点まで到達してしまったことを把握することができる。この場合、ユーザは、自宅から遠く離れた地点を徘徊している可能性があり、または帰り道がわからなくなっている可能性があるため、通報先端末の操作者は、ユーザに危険が及ぶ前にユーザを保護しに行ったり、現地近くの警察や知り合いにユーザの保護を依頼したりすることができる。
【００５５】
その後、ステップＳ３１０へ進み、通信モジュール１１３は、現在位置特定装置１００の動作状態を通常動作状態からスリープ状態に切り替えて、後述するステップＳ３２０へ進む。
【００５６】
ステップＳ２３０で否定判断した場合には、ステップＳ２４０へ進む。ステップＳ２４０では、通信モジュール１１３は、ユーザの外出を検出してからあらかじめ設定された所定時間以上、例えば１時間以上が経過したか否かを判断する。ここでは、ユーザまたは通報先端末の操作者は、通報を望む外出時間をあらかじめ設定しておくことができ、通信モジュール１１３は、ステップＳ２１０でユーザの外出を検出してからの経過時間があらかじめ設定された外出時間を超えた場合に、ステップＳ２４０で肯定判断する。ステップＳ２４０で肯定判断した場合には、ステップＳ２９０へ進む。
【００５７】
ステップＳ２９０では、通信モジュール１１３は、通報先端末への通報を行うために、現在位置特定装置１００の動作状態をスリープ状態から通常動作状態に切り替える。その後、ステップＳ３００へ進む。
【００５８】
ステップＳ３００では、通信モジュール１１３は、通信アンテナ１０３を介して携帯電話通信網に接続し、図２の処理でメモリに記録された最新の現在位置情報と、ユーザがあらかじめ設定された所定時間以上帰宅していないことを示す情報を通報先端末へ送信して通報する。これによって、通報先端末の操作者は、ユーザの現在位置とともに、ユーザが長時間外出して帰宅していないことを把握することができる。この場合、ユーザは、自宅への帰り道がわからず徘徊していたり、外出先で事故に巻き込まれていたり、外出先で具合が悪くなっている可能性があるため、通報先端末の操作者は、ユーザに危険が及ぶ前にユーザを保護しに行ったり、現地近くの警察や知り合いにユーザの保護を依頼したりすることができる。
【００５９】
その後、ステップＳ３１０へ進み、通信モジュール１１３は、現在位置特定装置１００の動作状態を通常動作状態からスリープ状態に切り替えて、後述するステップＳ３２０へ進む。
【００６０】
ステップＳ２４０で否定判断した場合には、ステップＳ２５０へ進む。ステップＳ２５０では、通信モジュール１１３は、ユーザの帰宅を検出したか否かを判断する。ここでは、通信モジュール１１３は、図２で上述したステップＳ１６０の処理と同様に、現在位置特定装置１００の現在位置があらかじめ登録された自宅位置から所定の範囲内、例えば１００ｍ以内である場合に、ユーザが帰宅したと判断する。ステップＳ２５０で肯定判断した場合には、ステップＳ２９０へ進む。
【００６１】
ステップＳ２９０では、通信モジュール１１３は、通報先端末への通報を行うために、現在位置特定装置１００の動作状態をスリープ状態から通常動作状態に切り替える。その後、ステップＳ３００へ進む。
【００６２】
ステップＳ３００では、通信モジュール１１３は、通信アンテナ１０３を介して携帯電話通信網に接続し、図２の処理でメモリに記録された最新の現在位置情報と、ユーザが帰宅したことを示す情報を通報先端末へ送信して通報する。これによって、通報先端末の操作者は、ユーザが無事に帰宅したことを把握して安心することができる。
【００６３】
その後、ステップＳ３１０へ進み、通信モジュール１１３は、現在位置特定装置１００の動作状態を通常動作状態からスリープ状態に切り替えて、後述するステップＳ３２０へ進む。
【００６４】
ステップＳ２５０で否定判断した場合には、ステップＳ２６０へ進む。ステップＳ２６０では、通信モジュール１１３は、あらかじめ設定されたユーザの外出予定日時を過ぎたにもかかわらずユーザの外出を検出していないか否かを判断する。ここでは、ユーザまたは通報先端末の操作者は、ユーザの外出予定日時をあらかじめ登録することができるものとし、通信モジュール１１３は、ＲＴＣ回路１０８から取得した現在日時があらかじめ登録されたユーザの外出予定日時になってもステップＳ２１０でユーザの外出を検出しないときに、ステップＳ２６０で肯定判断する。ステップＳ２６０で肯定判断した場合には、ステップＳ２９０へ進む。
【００６５】
ステップＳ２９０では、通信モジュール１１３は、通報先端末への通報を行うために、現在位置特定装置１００の動作状態をスリープ状態から通常動作状態に切り替える。その後、ステップＳ３００へ進む。
【００６６】
ステップＳ３００では、通信モジュール１１３は、通信アンテナ１０３を介して携帯電話通信網に接続し、図２の処理でメモリに記録された最新の現在位置情報と、ユーザが外出予定日時を過ぎても外出しないことを示す情報を通報先端末へ送信して通報する。これによって、通報先端末の操作者は、ユーザが外出する必要があることを忘れている可能性があるため、電話やメール、または直接自宅へ行って、ユーザに外出を促すことができる。また、ユーザが病気や怪我等の理由で外出できない状態にある可能性もあるため、この通報をきっかけにユーザの安否確認を行うこともできる。
【００６７】
その後、ステップＳ３１０へ進み、通信モジュール１１３は、現在位置特定装置１００の動作状態を通常動作状態からスリープ状態に切り替えて、後述するステップＳ３２０へ進む。
【００６８】
ステップＳ２６０で否定判断した場合には、ステップＳ２７０へ進む。ステップＳ２７０では、通信モジュール１１３は、バッテリ１１２の残量があらかじめ設定された所定値以下、例えば全容量に対する１０％以下に低下したか否かを判断する。ステップＳ２７０で肯定判断した場合には、ステップＳ２９０へ進む。
【００６９】
ステップＳ２９０では、通信モジュール１１３は、通報先端末への通報を行うために、現在位置特定装置１００の動作状態をスリープ状態から通常動作状態に切り替える。その後、ステップＳ３００へ進む。
【００７０】
ステップＳ３００では、通信モジュール１１３は、通信アンテナ１０３を介して携帯電話通信網に接続し、図２の処理でメモリに記録された最新の現在位置情報と、バッテリ１１２の残容量が少なくなっていることを示す情報を通報先端末へ送信して通報する。これによって、通報先端末の操作者は、バッテリ１１２の充電が必要なことを把握することができるため、ユーザに連絡してバッテリ１１２の充電を促したり、自らユーザの現在位置に赴いてバッテリ１１２を充電したりすることができる。
【００７１】
その後、ステップＳ３１０へ進み、通信モジュール１１３は、現在位置特定装置１００の動作状態を通常動作状態からスリープ状態に切り替えて、後述するステップＳ３２０へ進む。
【００７２】
ステップＳ２７０で否定判断した場合には、ステップＳ２８０へ進む。ステップＳ２８０では、通信モジュール１１３は、通報先端末から現在位置の問い合わせがあったか否かを判断する。ステップＳ２８０で肯定判断した場合には、ステップＳ２９０へ進む。
【００７３】
ステップＳ２９０では、通信モジュール１１３は、通報先端末への通報を行うために、現在位置特定装置１００の動作状態をスリープ状態から通常動作状態に切り替える。その後、ステップＳ３００へ進む。
【００７４】
ステップＳ３００では、通信モジュール１１３は、通信アンテナ１０３を介して携帯電話通信網に接続し、図２の処理でメモリに記録された最新の現在位置情報を通報先端末へ送信して通報する。これによって、通報先端末の操作者は、いつでもユーザの現在位置を問い合わせて確認することができる。
【００７５】
その後、ステップＳ３１０へ進み、通信モジュール１１３は、現在位置特定装置１００の動作状態を通常動作状態からスリープ状態に切り替えて、ステップＳ３２０へ進む。
【００７６】
ステップＳ３２０では、通信モジュール１１３は、ユーザによって電源スイッチ１０４が長押しされて、現在位置特定装置１００の電源オフが指示されたか否かを判断する。ステップＳ３２０で否定判断した場合には、ステップＳ２１０へ戻る。これに対して、ステップＳ３２０で肯定判断した場合には、ステップＳ３３０へ進む。
【００７７】
ステップＳ３３０では、通信モジュール１１３は、現在位置特定装置１００の電源をオフする。その後、処理を終了する。
【００７８】
以上説明した本実施の形態によれば、以下のような作用効果を得ることができる。
（１）通信モジュール１１３は、ユーザによる電源スイッチ１０４の操作に基づいて電源がオンに切り替えられたときに、起動時の処理として、現在位置特定装置１００を構成する各部の初期設定を行った後に、現在位置特定装置１００の動作状態を、通常動作時よりも各部に流す電流を抑えたスリープ状態に切り替えるようにした。これによって、電源がオンされて各部の初期設定が完了した後は、ユーザが外出するまでの間は現在位置特定装置１００をスリープ状態にして、電力の消費を抑えることができる。また、電力の消費を抑えることにより、バッテリ１１２からの電力供給を長時間維持することができ、バッテリ１１２の充電間隔を長くすることができる。
【００７９】
（２）通信モジュール１１３は、現在位置特定装置１００の動作状態がスリープ状態であるときに、振動スイッチ１０５からの出力に基づいて振動を検出した場合には、現在位置特定装置１００の動作状態をスリープ状態から通常動作状態に切り替えるようにした。これによって、ユーザが現在位置特定装置１００が収納された靴を履いて外出した可能性があるときには、現在位置特定装置１００の動作状態を通常動作状態に切り替えて、ユーザの外出に備えることができる。
【００８０】
（３）通信モジュール１１３は、動作状態を通常動作状態に切り替えた後に、振動の検出が所定時間継続していない場合、すなわち振動の検出が所定時間未満で停止した場合には、動作状態をスリープ状態に戻すようにした。これによって、振動の検出が所定時間継続しなかった場合は、現在位置特定装置１００の振動は一時的なもので、ユーザの外出に伴って発生したものではないことを加味して、再びスリープ状態に戻して消費電力を抑えることができる。
【００８１】
（４）通信モジュール１１３は、動作状態を通常動作状態に切り替えた後に、振動の検出が所定時間以上継続した場合には、振動スイッチ１０５による振動の検出を停止させるとともに、動作状態をスリープ状態に戻すようにした。これによって、ユーザが現在位置特定装置１００を収納した靴を履いて外出した後は、外出を検出する目的で行う振動の検出は不要となるため、振動スイッチ１０５による振動検出をオフして、監視モードに切り替えた後の電力消費を抑えることができる。
【００８２】
（５）通信モジュール１１３は、監視モードに切り替えた後は、あらかじめ設定された所定時間間隔で動作状態を通常動作状態に切り替えて、ＧＰＳアンテナ１０１を介して受信され、ＬＮＡ１０２で増幅されたＧＰＳ信号に基づいて、現在位置特定装置１００の現在位置を検出するようにした。そして、現在位置の検出が完了した後には、再び動作状態をスリープ状態に戻すようにした。これによって、所定時間間隔で現在位置特定装置１００をスリープ状態から復帰させて現在位置を検出するとともに、現在位置の検出が終わった後は、再びスリープ状態に戻して、消費電力を抑えることができる。
【００８３】
（６）通信モジュール１１３は、現在位置特定装置１００の現在位置があらかじめ設定されたユーザの自宅位置から所定の範囲内である場合には、ユーザは帰宅したと判定して、スイッチ制御回路１０６を制御して、振動スイッチ１０５による振動検出をオンするようにした。これによって、ユーザが帰宅した後に、再び現在位置特定装置１００が収納された靴を履いて外出をする際に備え、現在位置特定装置１００の振動検出を開始させることができる。
【００８４】
（７）通信モジュール１１３は、通報先端末から現在位置の問い合わせを受信したときに、通報先端末へ現在位置特定装置１００の現在位置情報を送信するようにした。これによって、通報先端末の操作者は、いつでもユーザの現在位置を確認することができる。
【００８５】
（８）通信モジュール１１３は、現在位置特定装置１００を所持するユーザが外出したことを検出したときに、通報先端末へ現在位置特定装置１００の現在位置情報とユーザが外出したことを示す情報とを送信するようにした。これによって、通報先端末の操作者は、ユーザの現在位置とともに、ユーザが外出したことを把握することができ、ユーザの帰宅が報告されるまでの間、ユーザの行動に注意を払うことができる。
【００８６】
（９）通信モジュール１１３は、ユーザの帰宅を検出したときに、通報先端末へ現在位置特定装置１００の現在位置情報とユーザが帰宅したことを示す情報とを送信するようにした。これによって、通報先端末の操作者は、ユーザが無事に帰宅したことを把握して安心することができる。
【００８７】
（１０）通信モジュール１１３は、ユーザの外出を検出してからあらかじめ設定された所定時間以上経過してもユーザが帰宅しないときに、通報先端末へ現在位置特定装置１００の現在位置情報と、ユーザがあらかじめ設定された所定時間以上帰宅していないことを示す情報とを送信するようにした。これによって、通報先端末の操作者は、ユーザの現在位置とともに、ユーザが長時間外出して帰宅していないことを把握することができる。この場合、ユーザは、自宅への帰り道がわからず徘徊していたり、外出先で事故に巻き込まれていたり、外出先で具合が悪くなっている可能性があるため、通報先端末の操作者は、ユーザに危険が及ぶ前にユーザを保護しに行ったり、現地近くの警察や知り合いにユーザの保護を依頼したりすることができる。
【００８８】
（１１）通信モジュール１１３は、あらかじめ設定されたユーザの外出予定日時を過ぎたにもかかわらずユーザの外出を検出していないときに、通報先端末へ現在位置特定装置１００の現在位置情報とユーザが外出予定日時を過ぎても外出しないことを示す情報とを送信するようにした。これによって、通報先端末の操作者は、ユーザが外出する必要があることを忘れている可能性があるため、電話やメール、または直接自宅へ行って、ユーザに外出を促すことができる。また、ユーザが病気や怪我等の理由で外出できない状態にある可能性もあるため、この通報をきっかけにユーザの安否確認を行うこともできる。
【００８９】
（１２）通信モジュール１１３は、現在位置特定装置１００の現在位置が、あらかじめ設定された自宅位置から所定距離以上離れた位置であるときに、通報先端末へ現在位置特定装置１００の現在位置情報と、ユーザが自宅から所定距離以上離れたことを示す情報とを送信するようにした。これによって、通報先端末の操作者は、ユーザの現在位置とともに、ユーザが自宅から遠く離れた地点まで到達してしまったことを把握することができる。また、通報先端末の操作者は、ユーザが自宅から遠く離れた地点を徘徊している可能性があり、または帰り道がわからなくなっている可能性があるため、ユーザに危険が及ぶ前にユーザを保護しに行ったり、現地近くの警察や知り合いにユーザの保護を依頼したりすることができる。
【００９０】
（１３）通信モジュール１１３は、現在位置特定装置１００の現在位置が、あらかじめ設定された危険エリア内に位置しているときに、ユーザが危険エリアに侵入したと判断して、通報先端末へ現在位置特定装置１００の現在位置情報と、ユーザが危険エリアに侵入したことを示す情報とを送信するようにした。これによって、通報先端末の操作者は、ユーザの現在位置とともに、ユーザが危険エリアに侵入したことを把握することができる。このため、ユーザに危険が及ぶことを回避するために、通報されたユーザの現在位置までユーザを保護しに行ったり、現地近くの警察や知り合いにユーザの保護を依頼したりすることができる。
【００９１】
（１４）通信モジュール１１３は、バッテリ１１２の残量があらかじめ設定された所定値以下まで低下したときに、通報先端末へ現在位置特定装置１００の現在位置情報と、バッテリ１１２の残容量が少なくなっていることを示す情報とを送信するようにした。これによって、通報先端末の操作者は、バッテリ１１２の充電が必要なことを把握することができるため、ユーザに連絡してバッテリ１１２の充電を促したり、自らユーザの現在位置に赴いてバッテリ１１２を充電したりすることができる。
【００９２】
―変形例―
なお、上述した実施の形態の現在位置特定装置１００は、以下のように変形することもできる。
（１）上述した実施の形態では、通信アンテナ１０３を介して携帯電話会社が提供する携帯電話通信網に接続して、外部の装置や端末と通信を行う例について説明した。しかしながら、通信に利用する通信網はこれに限定されず、通信アンテナ１０３を介して無線ＬＡＮに接続し、インターネットを介して外部の装置や端末と通信を行うことができるようにしてもよい。
【００９３】
（２）上述した実施の形態において、通信モジュール１１３は、ＧＰＳアンテナ１０１を介して受信され、ＬＮＡ１０２で増幅されたＧＰＳ信号に基づいて、現在位置特定装置１００の現在位置を検出する例について説明した。しかしながら、通信モジュール１１３は、あらかじめ設定されたタイムアウト時間を経過しても現在位置の検出が完了しない場合には、現在位置の検出を終了させて、現在位置特定装置１００の動作状態をスリープ状態に戻すようにしてもよい。これによって、ＧＰＳ衛星と通信ができない状況にあるときに、現在位置の検出が長時間継続して無駄に電力が消費されるのを防ぐことができる。
【００９４】
（３）上述した実施の形態では、通信モジュール１１３は、ステップＳ１３０で検出した現在位置特定装置１００の現在位置があらかじめ登録された自宅位置から所定の範囲内、例えば１００ｍ以内である場合に、ユーザの帰宅を検出する例について説明した。しかしながら、ユーザが帰宅したか否かの判断方法はこれに限定されない。例えば、通信モジュール１１３は、検出した現在位置特定装置１００の現在位置が、あらかじめ登録された自宅位置に対応する位置であるときにユーザが帰宅したと判断してもよい。あるいは、現在位置特定装置１００に加速度を検出するための加速度センサを搭載し、通信モジュール１１３は、検出した現在位置があらかじめ登録された自宅位置から所定の範囲内、例えば１００ｍ以内であり、かつ加速度センサによって検出される加速度が所定値以下である状態が所定時間以上継続した場合に、ユーザが帰宅したと判断するようにしてもよい。これによれば、ユーザが自宅付近に到達し、かつ自宅で靴を脱ぐことによって加速度が低下したときにユーザが帰宅したと判定できるため、ユーザが自宅近くで迷子になっている場合に帰宅と誤判定することを防ぐことができる。
【００９５】
（４）上述した実施の形態では、通信モジュール１１３は、図３のステップＳ２１０〜Ｓ２８０で肯定判断したときに、通報先端末への通報条件を満たしたと判断して、通報先端末への現在位置の通報を行う例について説明した。しかしながら、通報条件はこれに限定されるものではなく、ユーザの現在位置を特定する必要がある他の条件を設定することもできる。例えば、ユーザが前回の外出から所定時間以上経過しても外出をしない場合には、ユーザに病気などの外出できない事情が生じている可能性があることを加味して、通報先端末に通報するようにしてもよい。これによって、通報先端末の操作者は、ユーザが長時間外出していないことを把握して、ユーザの安否確認を行うことができる。
【００９６】
また、通信モジュール１１３は、バッテリ１１２への充電が開始されたとき、またはバッテリへの充電が終了したときに通報条件を満たしたと判断するようにしてもよい。これによって、通報先端末の操作者は、バッテリ１１２の充電が開始されたタイミング、バッテリの充電が終了したタイミングを把握することができる。また、通信モジュール１１３は、現在位置特定装置１００が充電器から外されたときに、通報条件を満たしたと判断するようにしてもよい。例えば、上述したように、充電用コネクタ１０９としてマイクロＵＳＢコネクタを搭載し、該マイクロＵＳＢコネクタを介してＡＣアダプタを接続することによってバッテリ１１２を充電する場合は、通信モジュール１１３は、マイクロＵＳＢコネクタからＡＣアダプタが取り外されたときに、現在位置特定装置１００が充電器から外されたと判定すればよい。これによって、通報先端末の操作者は、現在位置特定装置１００が充電器から外されたタイミングを把握することができる。
【００９７】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００９８】
１００  現在位置特定装置
１０１  ＧＰＳアンテナ
１０２  ＬＮＡ
１０３  通信アンテナ
１０４  電源スイッチ
１０５  振動スイッチ
１０６  スイッチ制御回路
１０７  ＬＥＤ表示回路
１０８  ＲＴＣ回路
１０９  充電用コネクタ
１１０  通信カード用コネクタ
１１１  ヒューズ
１１２  バッテリ
１１３  通信モジュール
【図１】
2014157600.tif 000003
【図２】
2014157600.tif 000004
【図３】
2014157600.tif 000005